(57)【要約】【課題】プッシュプルラッチ装置において、小さなプッシュプルストロークでも確実にラッチを解除できるようにする。【解決手段】本体（１０）に回転可能に設けたラッチ駆動用回転板（２３）にスリット部（３１）を設ける。このスリット部（３１）に、ハンドル（８）に連結したスパイラルロッド（３０）をプッシュプル可能に係合させる。ハンドル（８）をプッシュし、若しくはプルすると、スリット部（３１）を介してラッチ駆動用回転板（２３）が回転する。ラッチ駆動用回転板（２３）の外周には爪片（２４）があり、この爪片（２４）により連動板（１９）を介してラッチ（５）を解除する。【選択図】図３
2008095381.tif 000002
【特許請求の範囲】
【請求項１】
本体の前面から出没可能に設けられたラッチ、該ラッチに連結された連動板、該連動板に係合する爪片を外周に有し回転可能に設けられたラッチ駆動用回転板、ハンドル軸が上記ラッチ駆動用回転板にプッシュプル可能に貫通しかつ回転不能に設けられたハンドルを具備し、上記ハンドル軸は平板を捻ってねじ部を形成したスパイラルロッドであり、上記ハンドルをプッシュし、若しくはプルしたとき上記ラッチ駆動用回転板が従動回転するよう上記スパイラルロッドのねじ部と係合するスリット部を上記ラッチ駆動用回転板に形成したことを特徴とするプッシュプルラッチ装置。
【請求項２】
上記連動板は上記ラッチ駆動用回転板の外周を囲み対向状態に受片を有する側面略コ字状に形成され、上記ラッチ駆動用回転板の爪片は上記各受片に対応する位置にそれぞれ設けられている請求項１に記載のプッシュプルラッチ装置。
【請求項３】
上記ラッチ駆動用回転板は受孔を有し、上記スリット部は該受孔の内面に形成されている請求項１に記載のプッシュプルラッチ装置。
【請求項４】
上記ラッチ駆動用回転板の受孔は角孔に形成され、該角孔に嵌合する形状の駒片を設け、該駒片にスリット部を形成した請求項１に記載のプッシュプルラッチ装置。
【請求項５】
上記本体は扉の両面に位置する台座を介して戸先側小口に設けられ、該台座にはハンドルの基部が嵌合する支持孔が形成され、該基部は回り止め状態で該支持孔に係合している請求項１に記載のプッシュプルラッチ装置。
【請求項６】
上記本体は扉の両面に位置する台座を介して戸先側小口に設けられ、上記ハンドルの基部は回り止め状態で上記本体に係合している請求項１に記載のプッシュプルラッチ装置。
【請求項７】
上記請求項１ないし６のいずれかに記載のプッシュプルラッチ装置を戸先側小口に設けた扉。
【発明の詳細な説明】
【技術分野】
【０００１】
本発明は、ラッチを解除する際にハンドルを回転せずに該ハンドルを扉面に対してプッシュ（押）し、若しくはプル（引）するだけで解除することができるプッシュプルラッチ装置及びそれを用いた扉に関する。
【背景技術】
【０００２】
ハンドルをプッシュし、若しくはプルすることによりラッチを解除し、スイングドアや折戸等の扉を開閉できるようにしたプッシュプルラッチ装置が知られている（例えば、特許文献１参照）。しかし、特許文献１に記載の従来の装置は、ハンドル軸にピンを突設し、このピンを円筒カムに形成した斜めの切溝に嵌入し、ハンドルをプッシュプルしたときに該円筒カムを回転させてラッチを直接駆動する構成であるので、プッシュプルストロークに対してラッチのスライドストロークが小さく、確実にラッチを解除することがむずかしい。円筒カムに形成する斜めの切溝の角度を小さくすれば、プッシュプルストロークに対してラッチのスライドストロークを大きくできるが、そのように構成するとハンドルをプッシュプルするときの操作力が大きくなり、身障者、老人、幼児等の力の弱い人達には操作することができなくなってしまう。
【特許文献１】特開平１１−３５０８１６号公報（図１、図２）
【発明の開示】
【発明が解決しようとする課題】
【０００３】
本発明の解決課題は、ハンドルのプッシュプルストロークが小さくても軽く、確実にラッチを解除することができ、また丈夫で耐久性のあるプッシュプルラッチ装置及びそれを用いた扉を提供することである。
【課題を解決するための手段】
【０００４】
本発明によれば、本体の前面から出没可能に設けられたラッチ、該ラッチに連結された連動板、該連動板に係合する爪片を外周に有し回転可能に設けられたラッチ駆動用回転板、ハンドル軸が上記ラッチ駆動用回転板にプッシュプル可能に貫通しかつ回転不能に設けられたハンドルを具備し、上記ハンドル軸は平板を捻ってねじ部を形成したスパイラルロッドであり、上記ハンドルをプッシュし、若しくはプルしたとき上記ラッチ駆動用回転板が従動回転するよう上記スパイラルロッドのねじ部と係合するスリット部を上記ラッチ駆動用回転板に形成したことを特徴とするプッシュプルラッチ装置及びそれを用いた扉が提供され、上記課題が解決される。
【発明の効果】
【０００５】
本発明は上記のように構成され、ハンドルのハンドル軸を、平板を捻ってねじ部を形成したスパイラルロッドで構成し、該スパイラルロッドのねじ部をラッチ駆動用回転板のスリット部に係合し、該ハンドルをプッシュプルしたときラッチ駆動用回転板が従動回転するようにしたので、該スパイラルロッドのねじ部の回転角度をラッチ駆動用回転板で拡大し、該ラッチ駆動用回転板の外周に形成した爪片で連動板を大きく移動させることができ、ハンドルのプッシュプルストロークが小さくても、軽く、確実にラッチを没入させてラッチを解除することができる。
【０００６】
また、上記ねじ部を形成したスパイラルロッドは、適宜の板厚と捻りピッチを選定することでハンドル軸として十分な剛性をもたせることができ、上記ラッチ駆動用回転板はプラスチック成形、ダイキャスト成形、焼結成形等で簡単に形成でき、スパイラルロッドが貫通する部分はスリット部に形成すればよいから、経済的に作ることができ、故障も生じにくく、耐久性のあるラッチ装置が得られる。
【発明を実施するための最良の形態】
【０００７】
図１、図２は本発明をスイングドアに適用した実施例を示し、プッシュプルラッチ装置（１）は、吊元側をヒンジ（３）で戸枠（４）に枢着した扉（２）の戸先側小口に取り付けられ、ラッチ（５）が突出して縦枠（６）のラッチ受け（７）に係合して施錠され、後記するようにハンドル（８）をプッシュし、若しくはプルすることによりラッチはラッチ受けから解除されて矢印（９）方向へ扉を開放することができる。
【０００８】
図３、図４を参照し、上記のように戸先側小口に取り付けられたプッシュプルラッチ装置（１）の本体（１０）はケース（１１）と蓋（１２）を有し、扉（２）の両面に当接する台座（１３）、（１３）がねじ（１４）で固定されている。該本体（１０）内には、前面の孔（１５）から出没するように上記ラッチ（５）が設けられ、ばねホルダー（１６）で支持されたばね（１７）により該ラッチ（５）は突出方向に付勢されている。なお、上記孔（１５）の周縁にはプラスチック製のラッチガイド（１８）を設けてあり、ラッチが円滑に摺動するようにしてある。
【０００９】
上記ラッチ（５）の基端には連動板（１９）が連結されている。該連動板（１９）は両面に案内突起（２０）を有し、該案内突起（２０）を上記ケース（１１）及び蓋（１２）に形成した案内溝（２１）に嵌入し、移動を案内すると共に移動範囲を規制している。図４に示すように、図に示す実施例では、側面略コ字状に形成され、開放端側に対向状態に受片（２２）、（２２）を有しているが、その他適宜の形状、構造に形成することができる。
【００１０】
上記連動板（１９）に隣接してラッチ駆動用回転板（２３）が回転可能に設けられている。該ラッチ駆動用回転板（２３）は、外周に爪片（２４）、（２４）を有し、各爪片（２４）が上記連動板（１９）の受片（２２）にそれぞれ対応するよう外周が上記連動板（１９）によって囲まれている。したがって、該ラッチ駆動用回転板（２３）が図４に示す位置から時計方向及び反時計方向に回転すれば、上記連動板（１９）は爪片（２４）と受片（２２）の作用で後退し、ラッチ（５）は本体内に没入する。
【００１１】
上記ラッチ駆動用回転板（２３）の受孔（２５）には、プッシュプル可能にハンドル軸（２６）が貫通しており、該ハンドル軸（２６）の両端（２７）はハンドル（８）に挿入され、ねじ（２８）で固定されている。該ハンドル軸（２６）は、平板を捻ってリード（ピッチ）の大きいねじ部（２９）を形成したスパイラルロッド（３０）で構成されている。該スパイラルロッド（３０）は、板厚を変えたり、ピッチを変えたりすることにより十分な剛性をもたせることができる。
【００１２】
上記ラッチ駆動用回転板（２３）の受孔（２５）には、上記ハンドルをプッシュプルしたとき従動回転するよう上記スパイラルロッド（３０）のねじ部（２９）を挾着するスリット部（３１）が設けられている。図４、図５に示す実施例では該受孔（２５）の内面に一体的に形成されている。このようなスリット部（３１）は、ラッチ駆動用回転板（２３）をプラスチック成形、ダイキャスト成形、焼結成形等することにより容易に形成することができる。
【００１３】
図６は、スリット部を別体に作る場合の一実施例を示し、ラッチ駆動用回転板（２３）には受孔として角孔（３２）が形成され、該角孔（３２）に嵌合する形状の駒片（３３）が設けられる。そして、この駒片（３３）の内部には、図３、図４に示すスリット部（３１）とほぼ同様のスリット部が形成されている。この実施例によれば、駒片（３３）を使用しないときは、通常のハンドルの角軸状のハンドル軸を上記角孔（３２）に挿通させて普通のラッチ装置として使用することができる。また、駒片（３３）を上記角孔（３２）に嵌着し、上述のようにスパイラルロッド（３０）を該駒片（３３）に挿通させれば、プッシュプルラッチ装置として使用できる。
【００１４】
上記ハンドル（８）は、適宜の構成により回転不能に設けられている。図３に示す実施例では、該ハンドル（８）の基部（３４）が嵌合するように台座（１３）に支持孔（３５）を形成し、該基部（３４）と支持孔（３５）の一部にそれぞれ平面部（３６）を形成し、該平面部（３６）を組み合せることにより回り止め状態に上記基部（３４）を支持孔（３５）に係合している。また、そのような平面部を台座に形成せずに本体に異形孔やピンを形成し、それに応じてハンドルの基部を異形断面にしたり、ピンが摺動する溝を形成して回り止めしてもよい（図示略）。
【００１５】
而して、上記一方のハンドル（８）の基部（３４）と台座（１３）の支持孔（３５）の底部間には、ばね（３７）を設けてあり、それにより他方のハンドル（８）の基部（３４）の先端が台座（１３）の支持孔（３５）の底部（３８）に当った状態でハンドル（８）は静止し、ラッチ（５）は図４に示すように前面の孔（１５）から突出し、ラッチ（５）はラッチ受け（７）に係合して扉は施錠されている。
【００１６】
そして図３に示す状態から、矢印（３９）方向にハンドル（８）をプッシュし、若しくはプルすると、スパイラルロッド（３０）とスリット部（３１）の作用でラッチ駆動用回転板（２３）は回転し、爪片（２４）が受片（２２）を押圧するので連動板（１９）を介してラッチ（５）は後退し、解錠されると共にそのまま扉を開放することができる。
【００１７】
ハンドル（８）のプッシュプルを止めれば、上記ばね（３７）の作用でハンドル（８）は図３に示す状態に戻るから、扉を再び施錠することができる。
【００１８】
上記実施例は、スイングドアに適用したが、折戸等の扉に適用することもできる。
【図面の簡単な説明】
【００１９】
【図１】本発明の一実施例を示す正面図。
【図２】図１を平面からみた説明図。
【図３】ラッチ装置の断面図。
【図４】蓋を外した状態のラッチ装置の側面図。
【図５】ラッチ駆動用回転板とスパイラルロッドの関係を示す説明図。
【図６】ラッチ駆動用回転板の他の実施例を示す斜視図。
【図７】台座の半正面図。
【図８】台座の断面図。
【符号の説明】
【００２０】
１    プッシュプルラッチ装置
２    扉
５    ラッチ
８    ハンドル
１０    本体
１３    台座
１９    連動板
２３    ラッチ駆動用回転板
２６    ハンドル軸
３０    スパイラルロッド
３１    スリット部
３２    角孔
３３    駒片
【図１】
2008095381.tif 000003
【図２】
2008095381.tif 000004
【図３】
2008095381.tif 000005
【図４】
2008095381.tif 000006
【図５】
2008095381.tif 000007
【図６】
2008095381.tif 000008
【図７】
2008095381.tif 000009
【図８】
2008095381.tif 000010